(57)【要約】      （修正有）【課題】比較的に殺風景なトイレ室内で水洗トイレ便器で水洗作動時に電飾照明を行って良好な照明環境を作り、トイレ室内の雰囲気環境を良好にすることができるロータンク電飾器を提供する。【解決手段】このロータンク電飾器１０は、水洗トイレのロータンクのすり鉢状蓋部３１の水流れ込み孔３２に設置されるロータンク電飾器１０であって、結合自在な上側の透明蓋部１１と下側の容器部１２から成るケース本体と、ケース本体内に収容され、発光素子と発光用電気回路部と電源部から成る電気装置と、容器部の底面に設けられ、水洗作動時に水流れ込み孔３２に流れ込む水３５が導電媒体になって導通状態になり発光素子を発光させ、かつ非水洗時には非導通状態になる一対の電極端子２３，２４とを備える。【選択図】図７
0003148364.tif 000002
【実用新案登録請求の範囲】
【請求項１】
水洗トイレのロータンクのすり鉢状蓋部の水流れ込み孔に設置されるロータンク電飾器であって、
結合自在な上側の透明蓋部と下側の容器部から成るケース本体と、
前記ケース本体内に収容され、発光素子と発光用電気回路部と電源部から成る電気装置と、
前記容器部の底面に設けられ、水洗作動時に前記水流れ込み孔に流れ込む水が導電媒体になって導通状態になり前記発光素子を発光させ、かつ非水洗時には非導通状態になる少なくとも一対の電極端子と、
を備えることを特徴とするロータンク電飾器。
【請求項２】
前記容器部の底面に、前記少なくとも一対の電極端子と前記ロータンクの上面との間に水が流れる間隔を作る複数の突起を設けたことを特徴とする請求項１記載のロータンク電飾器。
【請求項３】
前記一対の電極端子の各々は２つの端子部に分けて形成され、４つの前記端子部は、前記容器部の前記底面における中心部の周囲の正方形頂点位置に配置されることを特徴とする請求項１または２記載のロータンク電飾器。
【請求項４】
前記発光素子を覆うように配置される光分散部材を備えることを特徴とする請求項１または２記載のロータンク電飾器。
【請求項５】
前記光分散部材は、前記透明蓋部の内面に沿って配置され、前記透明蓋部の内面に形成された環状係止部で係止され前記透明蓋部に固定されていることを特徴とする請求項４記載のロータンク電飾器。
【考案の詳細な説明】
【技術分野】
【０００１】
本考案はロータンク電飾器に関し、特に、水洗トイレのロータンクに配置され、水洗作動時に電飾照明を行うロータンク電飾器に関する。
【背景技術】
【０００２】
トイレ室を照明する装置を備えた水洗トイレの手洗い装置として下記の特許文献１に記載され手洗い装置がある。この手洗い装置では、手洗い鉢の手洗い吐水部に発光部を設け、フラッシュレバーを操作して手洗い吐水部から水が放流されると、同時に光源が点灯し光ファイバーで導かれた光が発光部から放射されるように構成されている。この構成によれば、トイレ室内の照明装置を点灯しなくても、吐水部の位置が分かり、手洗いを行うことができる。
【特許文献１】特開２００１−３２３５３１号公報
【考案の開示】
【考案が解決しようとする課題】
【０００３】
特許文献１に記載された手洗い装置では、トイレ便器と一体化されたロータンクにおいてその上部に設けられた吐水部に発光部を組み付けた構造となっている。トイレ便器装置の全体の一部となっているため、高価である。また従来から使用されてきたトイレ便器に付することは極めて困難である。かかる照明装置を備えるためにはトイレ便器それ自体を交換することが必要となる。
【０００４】
本考案の目的は、上記の問題に鑑み、比較的に殺風景なトイレ室内で水洗トイレ便器で水洗作動時に電飾照明を行って良好な照明環境を作り、トイレ室内の雰囲気環境を良好にすることができるロータンク電飾器を提供することにある。
【課題を解決するための手段】
【０００５】
本考案に係るロータンク電飾器は上記の目的を達成するため次のように構成される。
【０００６】
第１のロータンク電飾器（請求項１に対応）は、水洗トイレのロータンクのすり鉢状蓋部の水流れ込み孔に設置されるロータンク電飾器であって、結合自在な上側の透明蓋部と下側の容器部から成るケース本体と、ケース本体内に収容され、発光素子と発光用電気回路部と電源部から成る電気装置と、容器部の底面に設けられ、水洗作動時に水流れ込み孔に流れ込む水が導電媒体になって導通状態になり発光素子を発光させ、かつ非水洗時には非導通状態になる少なくとも一対の電極端子と、を備えるように構成される。
【０００７】
上記のロータンク電飾器では、水洗トイレ用のロータンクで水洗が使用されたときにロータンクのすり鉢状蓋部では外部に突き出た給水管から水が流れ出し水流れ込み孔に水が流れ込むが、この水の流れを利用して当該水が流れる時だけ導通状態になる少なくとも一対の電極端子を設けるようにし、これにより水洗使用時の電飾照明を効果的に行うことができる。
【０００８】
第２のロータンク電飾器（請求項２に対応）は、上記の構成において、好ましくは、容器部の底面に、少なくとも一対の電極端子とロータンクの上面との間に水が流れる間隔を作る複数の突起を設けたことを特徴とする。水洗使用時にすり鉢状蓋部に流れる水を利用して発光素子を点灯させるため、容器部の底面に設けられた少なくとも一対の電極端子に対して当該水が導電媒体と機能するように適切な隙間を形成する突起が設けられる。
【０００９】
第３のロータンク電飾器（請求項３に対応）は、上記の構成において、好ましくは、一対の電極端子の各々は２つの端子部に分けて形成され、４つの端子部は、容器部の底面における中心部の周囲の正方形頂点位置に配置されることを特徴とする。この構成によれば、４つの端子部（二対の電極端子）を正方形の頂点位置に配置したため、水の流れがあるときには確実に電極端子間を導通状態（オン状態）にすることができる。
【００１０】
第４のロータンク電飾器（請求項４に対応）は、上記の構成において、好ましくは、発光素子を覆うように配置される光分散部材を備えることを特徴とする。ドーム状の光分散部材は、発光素子から出た光をトイレ室内に光を分散または拡散させた状態でボンヤリとしたやわらかい光で照明を行う。
【００１１】
第５のロータンク電飾器（請求項５に対応）は、上記の構成において、好ましくは、光分散部材は、透明蓋部の内面に沿って配置され、透明蓋部の内面に形成された環状係止部で係止され透明蓋部に固定されていることを特徴とする。この構成によれば、分解組立てを容易に行うことができる。
【考案の効果】
【００１２】
本考案によれば、水洗トイレのロータンクのすり鉢状蓋部の水流れ込み孔に置き、水洗使用時にすり鉢状蓋部の水流れ込み孔に水が流れ込むとき、当該水が導電媒体として機能し、下側の容器部の底面に設けられた一対の電極端子間が導通状態になるので、適切なタイミングで照明を行うことができ、比較的に殺風景なトイレ室内をリラックスした雰囲気環境に作り替えることができる。
【考案を実施するための最良の形態】
【００１３】
以下に、本考案の好適な実施形態（実施例）を添付図面に基づいて説明する。
【００１４】
図１は、本考案の実施形態に係るロータンク電飾器を上側から見た図を示している。ロータンク電飾器１０の上側半分の部分は透明のお椀状の蓋部材１１が取り付けられており、また下側半分の部分には容器部１２が設けられる。蓋部材１１と容器部１２は例えば嵌合構造により着脱自在である。上側の蓋部材１１と下側の容器部１２とによってロータンク電飾器１０のケース本体が形作られる。蓋部材１１と容器部１２が結合されて形成されたケース本体は、外側から水が浸入しないように防水性能を持たせている。蓋部材１１の頭頂部にはデザイン的な観点で突出部１１ａが形成されている。蓋部材１１の内側にはドーム状の光分散部材１３が配置されている。光分散部材１３は、その内側領域に配置された発光素子から発っせられる光を周囲に分散させる機能を有している。図１に示した本実施形態に係るロータンク電飾器１０は、トイレ室のロータンク上に配置された状態で、利用者が最も見ることができる外観の状態である。
【００１５】
図２にロータンク電飾器１０の分解図を示す。最上位置には透明の蓋部材１１が配置され、最下位置には容器部１２が配置されている。容器部１２には例えば２箇所の嵌合用凹所１２ａが形成されており、これらに対応して蓋部材１１には２箇所の凸部１１ｂが形成されている。また容器部１２の内部には、例えば３本の単三の電池１４が配置され、電源部１５が設けられている。蓋部材１１の内側には光分散部材１３が配置されている。光分散部材１３はドーム形状を有しており、下部が開放されている。光分散部材１３は、大きさの異なる半透明の粒子状部材を結合されるような形態で形成されている。容器部１２における電源部１５と光分散部材１３との間には発光ユニット１６が配置される。発光ユニット１６は、基板１７と、例えば２つの発光素子（発光ダイオード、ＬＥＤ等）１８と、電極部やコンデンサ等を含む電気回路部１９と、透明ドーム２０とによって構成されている。透明ドーム２０は基板１７の上に配置され、発光素子１８や電気回路部１９等を保護している。発光ユニット１６の基板１７は、容器部１２の上面の開口部分１２ｂにセットされる。
【００１６】
図３と図４によって容器部１２の底面部を説明する。図３は容器部１２の底面図、図４は容器部１２の底面部１２ｃの下側から見た斜視図である。容器部１２の底面部１２ｃには、中心部分に例えば３本の比較的に長い突出棒２１が形成され、さらにその周囲には例えば４つの突起２２が形成されている。３本の突出棒２１は、後述するようにロータンクのすり鉢状蓋部の中心孔に挿入可能に設けられている。４つの突起２２は好ましくは正方形の形を形成するように各角部の位置に配置されている。さらに３本の突出棒２１の近傍位置には一対の電極端子２３，２４が配置されている。電極端子２３，２４は容器部１２の底面部１２ｃから突き出た形状を有しているが、その高さは上記の突起２２よりも低く設定されている。
【００１７】
図５は、発光ユニット１６に関する電気回路の回路構成を示す。例えば直列に接続された２つの発光素子１８には電源部１５から給電されるように構成されている。電源部１５からの発光素子１８への給電路には上記の一対の電極端子２３，２４が設けられる。水洗トイレが使用されず、ロータンクで水が流れない状態の時には電極端子２３，２４は開放された状態にある。よって発光素子１８へは電流が供給されず、発光素子１８は発光しない。ロータンクで水が流れかつ所定条件を満たすときには水が導電媒体となって電極端子２３，２４は閉じた状態になり、電源部１５から発光素子１８に対して給電が行われる。
【００１８】
図６と図７を参照して本実施形態に係るロータンク電飾器１０の利用状態を説明する。ロータンク電飾器１０は、容器部１２の底面部１２ｃに形成された突出棒２１をロータンクのすり鉢状蓋部３１の上面孔部３２に差し込んで、すり鉢状蓋部３１のすり鉢部３３に置かれる。この際、すり鉢状蓋部３１の上面のすり鉢部３３に置かれたロータンク電飾器１０は、図６に示すように、突起２２がすり鉢部３３に接触した状態ですり鉢状蓋部３１に設置されている。ロータンクの給水管３４はロータンクから上方に突き出ており、そのの先端口３４ａはロータンク電飾器１０の上方に位置している。
【００１９】
水洗トイレ用のロータンクで水洗が使用されたときには、図７に示すように、ロータンクのすり鉢状蓋部３１では、その給水管３４から水３５が流れ出し、上面孔部３２に水３５が流れ込む。上面孔部３２は水流れ込み孔である。給水管３４から水３５が流れ出すと、当該水は、ロータンクのすり鉢状蓋部３１の上面のすり鉢部３３に溜まり、上面孔部３２に流れ込む。その際、上面孔部３２に流れ込む水１５により、容器部１２の底面部１２ｃに形成された一対の電極端子２３，２４が導通された状態になる。一対の電極端子２３，２４が導通されると、図５で説明した通り、発光素子１８に電流が供給されて発光素子１８が発光する。このように、水３５の流れを利用して当該水３５が流れる時だけ導通状態になる一対の電極端子２３，２４を設けている。
【００２０】
上記突起２２は、一対の電極端子２３，２４とロータンクの上面との間に水が流れる手適切な間隔を作る。水洗使用時にすり鉢状蓋部３１に流れる水を利用して発光素子を点灯させる。
【００２１】
発光素子１８から光が出ると、光分散ドーム部材１３は、その光をトイレ室内に光を分散（拡散）させた状態でボンヤリとしたやわらかい光で照明を行う。
【００２２】
次に図８と図９を参照して本発明に係るロータンク電飾器の他の実施形態を説明する。図８と図９において、上記の実施形態で説明した要素と実質的に同一の要素には同一の符号を付している。図８はロータンク電飾器１１０の容器部１２の底面図を示し、図９は蓋部材１１の側面図でかつその半分を断面にした図である。この実施形態のロータンク電飾器１１０では、容器部１２の底面部に設けた一対の電極端子２３，２４の各々を２つに分離して、それぞれ端子部２３ａ，２３ｂおよび端子部２４ａ，２４ｂとする。そしてこれらの４つの端子部（電極端子）２３ａ，２３ｂ，２４ａ，２４ｂを、容器部１２の中心部の周囲の正方形を形成する領域の頂点位置に配置している。その結果、二対の電極端子が設けられることになる。
【００２３】
上記のような二対の電極端子を配置することにより、電極端子間の水による導通状態の発生を確実なものとしている。
【００２４】
なお本実施形態の容器部１２の底面部に設けた４つの突起１２２は膨出形状の突起として形成されている。
【００２５】
図９において、本実施形態におけるドーム状の光分散部材１３は、ドーム状の蓋部材１１の内面に沿った状態で配置され、蓋部材１１の内面に形成された環状の係止部１１ｂで係止されており、これにより蓋部材１１に固定され、一体化されている。この構成によれば、光分散部材１３が蓋部材１１に一体化されているので、ロータンク電飾器１１０を分解しまたは組み立てるときに作業が容易となる。
【００２６】
なお容器部１２の底面部に設けられる電極端子の数は、三対以上であってもよい。また一対の電極端子を設ける構造の場合には、容器部１２の底面部に溝等を形成し、一対の電極端子の間に水が流れるような水案内構造を設けることが好ましい。
【００２７】
以上の実施形態で説明された構成、形状、大きさおよび配置関係については本考案が理解・実施できる程度に概略的に示したものにすぎず、また数値および各構成の組成（材質）等については例示にすぎない。従って本考案は、説明された実施形態に限定されるものではなく、特許請求の範囲に示される技術的思想の範囲を逸脱しない限り様々な形態に変更することができる。
【産業上の利用可能性】
【００２８】
本考案に係るロータンク電飾器は水洗トイレのロータンクの電飾用または照明用の装置に利用される。
【図面の簡単な説明】
【００２９】
【図１】本発明の実施形態に係るロータンク電飾器の外観図である。
【図２】本実施形態に係るロータンク電飾器の分解図である。
【図３】ロータンク電飾器の底面図である。
【図４】ロータンク電飾器の容器部の底面部分を下側から見た外観図である。
【図５】ロータンク電飾器の内部に設けられた発光ユニットに関する電気回路の回路構成図である。
【図６】本実施形態に係るロータンク電飾器をロータンクに配置した状態を示す図である。
【図７】ロータンク電飾器の発光素子の発光時の状態を示す図である。
【図８】本発明の他の実施形態に係るロータンク電飾器の底面図である。
【図９】本発明の他の実施形態に係るロータンク電飾器の蓋部材の一部断面側面図である。
【符号の説明】
【００３０】
１０            ロータンク電飾器
１１            蓋部材
１２            容器部
１３            光分散部材
１４            電池
１５            電源部
１６            発光ユニット
１７            基板
１８            発光素子
２１            突出棒
２２            突起
２３，２４      電極端子
２３ａ，２３ｂ  端子部（電極端子）
２４ａ，２４ｂ  端子部（電極端子）
３１            ロータンクのすり鉢状蓋部
１１０          ロータンク電飾器
【図１】
0003148364.tif 000003
【図２】
0003148364.tif 000004
【図３】
0003148364.tif 000005
【図４】
0003148364.tif 000006
【図５】
0003148364.tif 000007
【図６】
0003148364.tif 000008
【図７】
0003148364.tif 000009
【図８】
0003148364.tif 000010
【図９】
0003148364.tif 000011